(57)【要約】【課題】携帯無線装置を使用した通信システムにおいて消費電力を低減する。【解決手段】本発明は、放送サービスを受信するために構成される移動無線通信装置であって、放送サービスによって利用されるチャネルを読み取る受信手段と、放送サービスに関するスケジューリング情報を前記チャネル経由ではない方法で受信する手段と、チャネル上の放送サービスの開始時刻をスケジューリング情報から決定する手段と、放送サービスの前記開始時刻より前に前記チャネル上で行われる伝送の為の準備時間をスケジューリング情報から決定する手段と、前記開始時刻から前記準備時間を引いて決定される時刻まで受信手段での前記チャネルの監視を禁止する手段とを含む移動無線通信装置を提供する。【選択図】図１
2007507914.tif 000002
【特許請求の範囲】
【請求項１】
放送サービスを受信するために構成される移動無線通信装置であって、前記放送サービスによって利用されるチャネルを読み取る受信手段と、前記放送サービスに関するスケジューリング情報を前記チャネル経由ではない方法で受信する手段と、前記チャネル上の前記放送サービスの開始時刻を前記スケジューリング情報から決定する手段と、前記放送サービスの前記開始時刻より前に前記チャネル上で行われる伝送の為の準備時間を前記スケジューリング情報から決定する手段と、前記開始時刻から前記準備時間を引いて決定される時刻まで前記受信手段での前記チャネルの監視を禁止する手段とを含む移動無線通信装置。
【請求項２】
前記チャネルの監視を禁止する前記手段が、ソフトウェア制御手段を含む、請求項１に記載の装置。
【請求項３】
前記装置に渡されるデータのサービス告知フェーズからスケジューリング情報を取り出すように構成される、請求項１または２に記載の装置。
【請求項４】
前記スケジューリング情報が、前記サービス告知フェーズとは異なるシグナリングレベルで提供されるように構成される、請求項１または２に記載の装置。
【請求項５】
前記準備時間に関するデータが、サービス告知フェーズの間に前記装置に送られる、請求項１から４のいずれか一項または複数項に記載の装置。
【請求項６】
前記準備時間が、放送セッションの受信を要求している移動装置の数をカウントするためにネットワークによって必要とされる時間を含む、先行する請求項のいずれか一項または複数項に記載の装置。
【請求項７】
通知チャネルの監視を開始する時に前記カウントに関するアップリンク信号をトリガするように構成される、請求項６に記載の装置。
【請求項８】
前記放送サービスが、ＭＢＭＳサービスを含む、先行する請求項のいずれか一項または複数項に記載の装置。
【請求項９】
前記チャネルが、ＭＢＭＳ通知チャネルを含む、請求項８に記載の装置。
【請求項１０】
セルラ電話を含む、先行する請求項のいずれか一項または複数項に記載の装置。
【請求項１１】
放送サービスを受信するために構成される移動無線通信装置を操作する方法であって、前記放送サービスによって利用されるチャネルを読み取るステップと、前記放送サービスに関するスケジューリング情報を前記チャネル経由ではない方法で受信するステップと、前記チャネル上の前記放送サービスの開始時刻を前記スケジューリング情報から決定するステップと、前記放送サービスの開始前に前記チャネル上で行われる伝送の為の準備時間を前記スケジューリング情報から決定するステップとを含み、前記開始時刻から前記準備時間を引いて決定される時刻まで前記チャネルの監視を禁止するステップをさらに含む方法。
【請求項１２】
前記監視が、ソフトウェア制御手段によって禁止される、請求項１１に記載の方法。
【請求項１３】
前記装置に供給されるデータのサービス告知フェーズからスケジューリング情報を取り出すステップを含む、請求項１１または１２に記載の方法。
【請求項１４】
スケジューリング情報が、前記サービス告知フェーズとは異なるシグナリングレベルで提供されるように構成される、請求項１１、１２、または１３に記載の方法。
【請求項１５】
前記準備時間に関するデータが、サービス告知フェーズの間に前記装置に送られる、請求項１１から１４のいずれか一項または複数項に記載の方法。
【請求項１６】
前記準備時間が、放送セッションの受信を要求している移動装置の数をカウントするためにネットワークによって必要とされる時間を含む、請求項１１から１５のいずれか一項または複数項に記載の方法。
【請求項１７】
請求項１から１０のいずれか一項または複数項で定義されるような移動無線通信端末を含むネットワークを備える通信システム。
【請求項１８】
前記ネットワークが、ＭＢＭＳ  ＵＴＲＡＮを含む、請求項１７に記載のシステム。
【請求項１９】
実質的に添付の図面を参照して明細書で説明され、添付の図面に例示されるような移動無線通信装置。
【請求項２０】
実質的に添付の図面を参照して明細書で説明され、添付の図面に例示されるような移動無線通信装置を操作する方法。
【請求項２１】
実質的に添付の図面を参照して明細書で説明され、添付の図面に例示されるような通信システム。
【発明の詳細な説明】
【技術分野】
【０００１】
本発明は、移動無線通信装置、関連する動作方法、およびネットワーク構成を含む通信システムに関する。
【背景技術】
【０００２】
移動無線通信装置のサイズおよび重量を低下させ、操作性を向上させようと試みる場合の重要な要件は、装置の電力需要に関連する。電力需要を小さくすることができれば、装置の稼働時間を延ばし、かつ／または装置のサイズは同様に小さくすることができる。
【０００３】
移動無線通信装置内での電力消費を低減させるための最近の試みは、スリープまたはアイドル・モードではあるが、一般に装置がアクティブであり続け、またネットワークへのフル・アクセスもネットワークからの信号受信も必要としない、不連続受信の概念を利用する傾向にある。
【０００４】
そのような不連続受信は、移動体通信用グローバル・システム（ＧＳＭ）装置で、またユニバーサル移動体通信システム（ＵＭＴＳ）でも知られており、装置はアイドル・モード時にはネットワークからダウンリンク・チャネルを連続的に受信する必要はないので、アイドル・モード時には電力を節約することが可能になる。
【０００５】
移動無線通信装置に関する最近の進展は、マルチメディア・ブロードキャスト・マルチキャスト・サービス（ＭＢＭＳ）などの放送サービスの提供を含み、そのような放送サービスは、特定の編集をされた情報、すなわちニュース情報および／またはスポーツ情報の提供が、所定の数の移動通信装置に、すなわち一般に特定の放送サービスに申し込みを行ったユーザによって所有されるそのような装置に放送されることを可能にする。
【０００６】
ＭＢＭＳ対応の装置の場合、適切な機能を達成するため、放送サービスによって利用される通知チャネルが、移動装置内で継続的に読み取られることが必要とされる。
【０００７】
そのような機能では、ＭＢＭＳセッションがいつ始まる予定かを移動通信装置に通知する必要があり、これにより装置はＭＢＭＳチャネル・タイプについて、例えば、それがポイント・ツー・ポイント・チャネル・タイプを含むかどうか、またはポイント・ツー・マルチポイント・チャネル・タイプを含むかどうかを通知される。また、移動通信装置は、ネットワークがカウントを必要とするかどうかを通知チャネル上のデータから知ることができ、カウントが必要とされる場合、サービスに申し込んだ各移動通信装置は、ＭＢＭＳセッションを受信する予定の装置が属すセルに自らを宣言することができ、その後、セルは、どのチャネルを利用すべきかを決定することができる。
【０００８】
上述のことから理解されるように、ＭＢＭＳ処理の現在の動作は、利用可能な情報を受信するために通知チャネルの監視を必要とし、そのような通知チャネルの連続監視は、不都合なことに、実際のＭＢＭＳ送信は後で行われることになっているにしても、移動無線通信装置で必要とされる電力消費量を増大させる。したがって、そのような連続監視を考慮すると、ＭＢＭＳ対応装置が、上で述べられた不連続受信（ＤＲＸ）処理などの電力節約モードに入ることは現在実現可能ではない。
【発明の開示】
【発明が解決しようとする課題】
【０００９】
本発明は、上述したように既存システムよりも有利な点を有する、放送サービスと共に使用するために構成される、移動無線通信装置、関連する動作方法、および関連する通信システムを提供しようとするものである。
【００１０】
特に、本発明は、放送セッションを可能にする装置および関連システム内での電力節約の態様を可能にする具体的な利点を提案する。
【課題を解決するための手段】
【００１１】
本発明の一態様によれば、放送サービスを受信するために構成される移動無線通信装置であって、放送サービスによって利用されるチャネルを読み取る受信手段と、放送サービスに関するスケジューリング情報を前記チャネル経由ではない方法で受信する手段と、チャネル上の放送サービスの開始時刻をスケジューリング情報から決定する手段と、放送サービスの前記開始時刻より前に前記チャネル上で行われる伝送の為の準備時間をスケジューリング情報から決定する手段と、前記開始時刻から前記準備時間を引いて決定される時刻まで受信手段での前記チャネルの監視を禁止する手段とを含む移動無線通信装置が提供される。
【００１２】
本発明は、開始される放送サービスに関するすべての情報が移動装置で受信されることができるように、通知チャネルの監視が有効化される適切な時刻を特定するために、放送サービス送信開始時刻の知識のほか、準備時間に関する特定のパラメータも利用する利点を有する。
【００１３】
好ましくは、前記チャネルの監視を禁止する手段は、ソフトウェア制御手段を含む。
【００１４】
スケジューリング情報は装置に供給されるデータのサービス告知フェーズから、または異なるシグナリングレベルから取り出せるという利点がある。
【００１５】
好ましくは、準備時間に関するデータは、サービス告知フェーズの間に装置に送られることができる。
【００１６】
本発明の別の態様によれば、放送サービスを受信するために構成される移動無線通信装置を操作する方法であって、放送サービスによって利用されるチャネルを読み取るステップと、放送サービスに関するスケジューリング情報を前記チャネル経由ではない方法で受信するステップと、前記チャネル上の放送サービスの開始時刻をスケジューリング情報から決定するステップと、放送サービスの開始前に前記チャネル上で行われる伝送の為の準備時間をスケジューリング情報から決定するステップとを含み、開始時刻から前記準備時間を引いて決定される時刻まで前記チャネルの監視を禁止するステップをさらに含む方法が提供される。
【００１７】
したがって、本発明は、例えばＭＢＭＳサービスがまさに始まる時まで移動装置がＭＢＭＳ通知チャネルを読み取る必要なしに動作できるようにすることによって、電力消費の削減を可能にするという利点を有する。
【００１８】
移動装置が、通知チャネルを読み取り始める時に、ネットワークにおけるカウント手順で必要とされるアップリンク信号をトリガするように構成されている場合、またさらなる利点が生じ得る。
【００１９】
本発明はさらに、以下本明細書で、添付の図面を参照して、例としてのみ説明されるが、添付の図面は、本発明の一実施形態による、ユーザ機器（ＵＥ）とネットワークの間のスケジューリング情報フローを説明するタイミング図である。
【００２０】
上で述べられたように、本発明は、放送サービスの受信に対応した移動無線通信装置内における電力消費の削減を提案しており、説明される例では、そのようなサービスは、ＭＢＭＳを含む。本発明に従って提供される制御は、ＭＢＭＳサービスがまさに行われようとする時まで、移動装置がＭＢＭＳ通知チャネルを読み取ることを可能にする。
【００２１】
通知チャネルの監視がもはや禁止されるべきではない時刻を決定するため、本発明の実施形態は、開始時刻およびどのＭＢＭＳ送信がチャネル上で開始される予定かの特定、また重要なこととして、ユニバーサル地上無線アクセス・ネットワーク（ＵＴＲＡＮ）内の準備時間に関連するパラメータの特定も提案する。そのような準備時間に関連する情報は、開始時刻と同様に、サービス告知フェーズの間に移動装置に供給されることができる。装置内で、特定されたＭＢＭＳ  ＵＴＲＡＮ準備時間は、すべての必要なＭＢＭＳ通知データを受信するために移動端末が通知チャネルの監視を開始すべき時刻を求めるため、ＭＢＭＳ送信開始時刻から減算される。
【発明の効果】
【００２２】
上で述べられた情報、すなわちＭＢＭＳ送信開始時刻およびＭＢＭＳ  ＵＴＲＡＮ準備時間を使用するため、装置内のより上位層、例えばアプリケーション層またはミドル層内にあるソフトウェア・モデル内のソフトウェア構成が利用されることが優れている。その場合、本発明は、通知チャネルの監視を無効化／有効化する正確な制御を提供することができ、本発明に従って提示される電力節約の利点をもたらす。
【００２３】
ＭＢＭＳ  ＵＴＲＡＮ準備時間として今特定されたパラメータに関して、そのような準備時間は一般に、ＭＢＭＳサービス・エリア内の移動装置の数をカウントするため、ＵＴＲＡＮによって必要とされ、具体的な利点によれば、カウント手順のトリガは、ＭＢＭＳ通知チャネルを装置が読み始める時に、前述のカウントのために必要とされるアップリンク信号を装置がトリガできるようにすることによって、移動装置で起こされ得ることに留意されたい。
【発明を実施するための最良の形態】
【００２４】
ここで添付の図面に移って、本発明のこの実施形態がさらに説明される。
【００２５】
添付の図面は、通信ネットワーク１０内のネットワーク１２と移動電話などのユーザ機器１４との間の通信に関するタイミング図を含んでいる。
【００２６】
図面の上から下に向かって延びる垂直軸は、経過時間を表す。
【００２７】
装置１４内の動作は、ネットワーク１２によって出されるサービス告知１６と共に始まるが、情報は他のシグナリングレベルで提供されることもでき、サービス告知１６内では、ＭＢＭＳ送信開始時刻およびＭＢＭＳ準備時間に関するデータが提供される。
【００２８】
ＭＢＭＳ送信開始時刻は、ＭＢＭＳセッションの一部としてデータ転送を開始する予定の時刻１８を特定するが、上で述べられたように、ユーザ機器１４は開始時刻より早い時刻に通知チャネルの監視を開始しなければならない。これは上で述べられたように、必要であれば、例えばカウント処理を可能にするために必要とされるＭＢＭＳ準備に関するすべてのデータを受信するためである。
【００２９】
ユーザ機器１４のためにＭＢＭＳ準備時間期間２０が一旦特定されると、その後、アプリケーションまたはミドルウェア層内などのより上位レベルで一般に提供される、ユーザ機器内のソフトウェア・モジュールは、送信開始時刻１８よりもＭＢＭＳ準備時間２０に等しい時間間隔だけ早い、通知チャネルの監視が始まるべき正確な時刻２２を決定するために動作する。このようにして、ＭＢＭＳセッションは、ＭＢＭＳ準備および後続のデータ転送に関するすべてのデータがユーザ機器１４によって受信されるように、２２において効果的に有効化される。
【００３０】
データ転送開始１８の後、ＭＢＭＳベアラ・リリース２４およびユーザ機器出発信号２６などのデータが、図面に示されるように、ネットワーク１２とユーザ機器１４の間で送信される。
【００３１】
本発明は有利には、ＭＢＭＳ送信開始時刻およびＭＢＭＳ準備時間パラメータの両方に基づいてＭＢＭＳ通知チャネル監視をスケジュールするため、ＭＢＭＳシグナリングの内容および端末側の上述のソフトウェア・モジュールの実装の調整をもたらす。
【００３２】
本発明が上述の実施形態の詳細に制限されないことは当然理解されるべきである。
【００３３】
例えば、ＭＢＭＳ送信開始時刻に関するデータは、サービス告知フェーズとは異なるシグナリングレベルで提供され得る。しかし、型通りな推定ではないにしても、特定の放送サービスがいつ開始する予定かについての推定に関わるスケジューリング情報を放送サービスが含むことは重要である。
【００３４】
通知チャネルの監視の有効化／無効化についての上述の制御を通して、ＭＢＭＳなどの放送サービスと共に使用するために構成された移動無線通信装置は、ＤＲＸ構成と共に生じるような電力を節約する特性も示すという利点を有する。
【図面の簡単な説明】
【００３５】
【図１】ネットワークとユーザ機器の間の通信における様々なイベントのタイミングを示すタイミング図である。
【図１】
2007507914.tif 000003
【国際調査報告】
2007507914.tif 000004
2007507914.tif 000005
2007507914.tif 000006